(57)【特許請求の範囲】
【請求項１】
複数の表示装置が配置されて構成される表示システムであって、
前記表示装置は、
自装置以外の前記表示装置と通信する通信部
を備え、
前記複数の表示装置のうち少なくとも第１表示装置と第２表示装置は、
リモートコントローラが発する無線信号を受信する操作信号受信部を備え、
前記操作信号受信部によって受信される操作信号によって指示される操作内容を、前記通信部を用いて前記第１表示装置と前記第２表示装置以外の前記表示装置に送信し、
前記表示システムは、
複数の前記第１表示装置を含んでおり、
前記複数の前記第１表示装置と前記第２表示装置のうち、前記無線信号を受信する受信範囲の少なくとも一部が他の表示装置に設けられる操作信号受信部の受信範囲と重複する場合、受信範囲が重複する操作信号受信部を有する少なくとも１つの表示装置は、
他の表示装置への操作信号の送信を行わず、自身以外の第１表示装置と第２表示装置から操作信号を受信して実行する、
ことを特徴とする表示システム。
【請求項２】
前記複数の表示装置のうち、前記第１表示装置と前記第２表示装置以外である第３表示装置は、
前記第１表示装置または前記第２表示装置から、前記通信部により受信した前記操作内容を実行する制御部を備える、
ことを特徴とする請求項１に記載の表示システム。
【請求項３】
前記第３表示装置は、
前記制御部によって実行される操作内容を操作履歴として記憶する操作履歴記憶部を備え、
前記制御部は、前記操作履歴を参照し、前記通信部により受信した前記操作内容を実行するか否か判定し、判定結果に基づき前記操作内容を実行する、
ことを特徴とする請求項２に記載の表示システム。
【請求項４】
前記操作履歴記憶部は、一定の時間が経過すると、自身に記憶した操作履歴を消去することを特徴とする請求項３に記載の表示システム。
【請求項５】
複数の表示装置が配置されて構成される表示システムにおける制御方法であって、
前記表示装置は、自装置以外の前記表示装置と通信する通信部を備え、
前記複数の表示装置のうち少なくとも第１表示装置と第２表示装置は、リモートコントローラが発する無線信号である操作信号を受信し、
前記操作信号によって指示される操作内容を、前記通信部を用いて前記第１表示装置と前記第２表示装置以外の前記表示装置に送信し、
前記表示システムは、
複数の前記第１表示装置を含んでおり、
前記複数の前記第１表示装置と前記第２表示装置のうち、前記無線信号を受信する受信範囲の少なくとも一部が他の表示装置に設けられる操作信号受信部の受信範囲と重複する場合、受信範囲が重複する操作信号受信部を有する少なくとも１つの表示装置は、
他の表示装置への操作信号の送信を行わず、自身以外の第１表示装置と第２表示装置から操作信号を受信して実行する、
ことを特徴とする制御方法。
【発明の詳細な説明】
【技術分野】
【０００１】
本発明は、表示システム、及び制御方法に関する。
【背景技術】
【０００２】
近年、複数のＣＲＴ（Ｃａｔｈｏｄｅ  Ｒａｙ  Ｔｕｂｅ）や、バックライトを備えたＬＣＤ（Ｌｉｑｕｉｄ  Ｃｒｙｓｔａｌ  Ｄｉｓｐｌａｙ）などの自発光するディスプレイ（表示装置）を行列状に配置し、複数のディスプレイを連携して動作させるマルチディスプレイが普及している。このマルチディスプレイを利用して、大画面の画像表示を行うことや、複数の異なる画像データを一度に表示することなどが広く行われている。
【０００３】
表示装置を操作する際、表示装置にリモコン受光部を設け、ユーザはリモコンを用いて操作を行う。その際、リモコン受光部は、表示装置の表示画面と対向する領域を赤外線信号の検知範囲として検出する（下記特許文献１参照）。
マルチディスプレイにおいてリモコン操作を行う場合、リモコン受光部をマルチディスプレイの外部の近傍に配置し、表示装置をデージーチェーン状に接続するなどしてリモコンからの操作信号を受信していた。
【先行技術文献】
【特許文献】
【０００４】
【特許文献１】特開２０１２−３９６４３号公報
【発明の概要】
【発明が解決しようとする課題】
【０００５】
しかしながら、マルチモニタシステムは、全体の表示画面の大きさに比べて、外付けのリモコン受光部の検知範囲が狭いため、この狭い範囲でしか操作信号を受信できなかった。
【０００６】
本発明は上記の点に鑑みてなされたものであり、マルチモニタシステムにおいて広い範
囲で操作信号を受信できる表示システム、及び制御方法を提供する。
【課題を解決するための手段】
【０００７】
（１）本発明は上記の課題を解決するためになされたものであり、本発明の一態様は、複数の表示装置が配置されて構成される表示システムであって、前記表示装置は、自装置以外の前記表示装置と通信する通信部を備え、前記複数の表示装置のうち少なくとも第１表示装置と第２表示装置は、リモートコントローラが発する無線信号を受信する操作信号受信部を備え、前記操作信号受信部によって受信される操作信号によって指示される操作内容を、前記通信部を用いて前記第１表示装置と前記第２表示装置以外の前記表示装置に送信すし、前記表示システムは、複数の前記第１表示装置を含んでおり、前記複数の前記第１表示装置と前記第２表示装置のうち、前記無線信号を受信する受信範囲の少なくとも一部が他の表示装置に設けられる操作信号受信部の受信範囲と重複する場合、受信範囲が重複する操作信号受信部を有する少なくとも１つの表示装置は、他の表示装置への操作信号の送信を行わず、自身以外の第１表示装置と第２表示装置から操作信号を受信して実行する、ことを特徴とする表示システムである。
【００１１】
（５）また、本発明の一態様は、複数の表示装置が配置されて構成される表示システムにおける制御方法であって、前記表示装置は、自装置以外の前記表示装置と通信する通信部を備え、前記複数の表示装置のうち少なくとも第１表示装置と第２表示装置は、リモートコントローラが発する無線信号である操作信号を受信し、前記操作信号によって指示される操作内容を、前記通信部を用いて前記第１表示装置と前記第２表示装置以外の前記表示装置に送信し、前記表示システムは、複数の前記第１表示装置を含んでおり、前記複数の前記第１表示装置と前記第２表示装置のうち、前記無線信号を受信する受信範囲の少なくとも一部が他の表示装置に設けられる操作信号受信部の受信範囲と重複する場合、受信範囲が重複する操作信号受信部を有する少なくとも１つの表示装置は、他の表示装置への操作信号の送信を行わず、自身以外の第１表示装置と第２表示装置から操作信号を受信して実行する、ことを特徴とする制御方法である。
【発明の効果】
【００１３】
本発明によれば、マルチモニタシステムのうち少なくとも２つの表示装置において、リモコン受光部が配置されており、リモートコントローラから受信した無線信号を他の表示装置に送信するようにした。これにより、リモートコントローラからの無線信号の受信範囲を広げることができる。
【図面の簡単な説明】
【００１４】
【図１】本発明の第１の実施形態に係る表示システムの概念図である。
【図２】本実施形態に係る表示システムのリモコン信号の受信範囲を表す概念図である。
【図３】本実施形態に係る表示システムのリモコン信号の受信範囲を表す概念図である。
【図４】本実施形態に係る表示装置の構成を示す概略ブロック図である。
【図５】本実施形態に係る制御処理の一例を示すフローチャートである。
【図６】本実施形態に係るキー処理の一例を示すフローチャートである。
【図７】本実施形態に係る操作履歴テーブルの一例を示す図である。
【図８】本発明の第２の実施形態に係る表示装置の構成を示す概略ブロック図である。
【発明を実施するための形態】
【００１５】
（第１の実施形態）
以下、図面を参照しながら本発明の実施形態について詳しく説明する。
図１は、本実施形態に係る表示システムの概念図である。
表示システムＳ１は、表示装置Ｄ１、表示装置Ｄ２、表示装置Ｄ３、表示装置Ｄ４、表示装置Ｄ５、表示装置Ｄ６、表示装置Ｄ７、表示装置Ｄ８、表示装置Ｄ９、無線ネットワーク１０００、及びリモコン装置Ｒ１を含んで構成される。
表示装置Ｄ１、表示装置Ｄ２、表示装置Ｄ３、表示装置Ｄ４、表示装置Ｄ５、表示装置Ｄ６、表示装置Ｄ７、表示装置Ｄ８、表示装置Ｄ９は、各々、リモコン受信部ＩＲ１、リモコン受信部ＩＲ２、リモコン受信部ＩＲ３、リモコン受信部ＩＲ４、リモコン受信部ＩＲ５、リモコン受信部ＩＲ６、リモコン受信部ＩＲ７、リモコン受信部ＩＲ８、リモコン受信部ＩＲ９を備える。
また、表示装置Ｄ１、表示装置Ｄ２、表示装置Ｄ３、表示装置Ｄ４、表示装置Ｄ５、表示装置Ｄ６、表示装置Ｄ７、表示装置Ｄ８、表示装置Ｄ９は、その他、表示装置の一般的な公知の機能を備える。
なお、以後、表示装置Ｄ１、表示装置Ｄ２、表示装置Ｄ３、表示装置Ｄ４、表示装置Ｄ５、表示装置Ｄ６、表示装置Ｄ７、表示装置Ｄ８、表示装置Ｄ９をまとめて、複数の表示装置Ｄと呼ぶことがある。
【００１６】
複数の表示装置Ｄは、行列状に配列されている。表示システムＳ１は、水平方向に３台、垂直方向に３台の全体で９台の表示装置を配列して構成されるマルチモニタシステムである。
表示装置Ｄ１、表示装置Ｄ２、表示装置Ｄ３、表示装置Ｄ４、表示装置Ｄ５、表示装置Ｄ６、表示装置Ｄ７、表示装置Ｄ８、表示装置Ｄ９は、この順で直列にそれぞれ通信路を介して接続（デイジーチェーン接続）され、当該通信路を用いた通信が可能である。
【００１７】
表示装置Ｄ１は、マルチモニタシステムにおける管理装置としての役割を果たす。表示装置Ｄ１は、自装置、及び表示装置Ｄ２、表示装置Ｄ３、表示装置Ｄ４、表示装置Ｄ５、表示装置Ｄ６、表示装置Ｄ７、表示装置Ｄ８、表示装置Ｄ９に、マルチモニタシステムの構成に応じた設定を行う。ここでマルチモニタシステムの構成とは、マルチモニタシステムにおいて表示装置を行列状に配列したときの、水平方向、垂直方向の各々の表示装置の台数のことである。
表示装置Ｄ１は、無線ネットワーク１０００を介して通信を行い、映像信号出力機器（例えばパソコンやサーバ）から映像信号を受信する。表示装置Ｄ１は、受信した映像信号を、自装置を含む複数の表示装置Ｄへと送信する。
マルチモニタシステムとして、各表示装置に画像を表示させる方法は、表示装置Ｄ１が各表示装置に行った設定により異なる。例えば、表示装置Ｄ１が、各装置に同一の画像を表示させるように設定を行うことが考えられる。また別の例では、一つの画像を９つに分割して得られる部分画像の各々を、適切な配列とズーム率で各表示装置に表示させ、マルチモニタシステム全体として元の一つの画像を拡大した画像として表示する設定を行うことが考えられる。
【００１８】
リモコン装置Ｒ１は、赤外線信号を送信する。ここで、リモコン装置Ｒ１の送信する赤外線信号は、表示システムＳ１を操作するため操作内容の情報を含んでいる。リモコン受信部ＩＲ１、リモコン受信部ＩＲ２、リモコン受信部ＩＲ３、リモコン受信部ＩＲ４、リモコン受信部ＩＲ５、リモコン受信部ＩＲ６、リモコン受信部ＩＲ７、リモコン受信部ＩＲ８、リモコン受信部ＩＲ９は、リモコン装置Ｒ１が送信した赤外線信号を受信する。
【００１９】
複数の表示装置Ｄは、各々のリモコン受信部で受信した赤外線信号に含まれる操作内容の情報で示される、操作内容の情報（キーコード）に従って処理を行う。複数の表示装置Ｄは、受信したキーコードを、複数の表示装置Ｄ１のうち自装置と接続されている前段側と後段側の表示装置に送信する。すなわち、複数の表示装置Ｄは各々が受信したキーコードを表示システムＳ１全体に通信路を用いて伝達する。
複数の表示装置Ｄは、通信路経由で受け取ったキーコードについて、直前の一定時間内に、自装置のリモコン受信部により受信したキーコードとして処理している場合、処理を行わない。通信路経由で受け取ったキーコードについて、直前の一定時間内に、自装置のリモコン受信部により受信したキーコードとして処理していない場合、複数の表示装置Ｄは、通信路経由で受け取ったキーコードを、自装置のリモコン受信部により受信したキーコードとして処理する。以上の処理内容の詳細については後述する。
【００２０】
マルチモニタシステムにおいて代表となるリモコン受信部を別途設置する場合、大きなシステム全体に対して、リモコン受信部を配置したある一定の方向からしか、リモコン信号を受信できない。これに対し、表示システムＳ１では、マルチモニタシステムにおいて、マルチモニタを構成する各表示装置が保有する複数個のリモコン受信部をシステム全体で利用している。表示システムＳ１は、ユーザがマルチシステムのどこに向けて操作しても、リモコンの感度の良い操作性を提供する。
【００２１】
図２は、本実施形態に係る表示システムのリモコン信号の受信範囲を表す概念図である。
図２は、図１で示される表示システムＳ１に、リモコン受信部ＩＲ１、リモコン受信部ＩＲ２、リモコン受信部ＩＲ３、リモコン受信部ＩＲ４、リモコン受信部ＩＲ５、リモコン受信部ＩＲ６、リモコン受信部ＩＲ７、リモコン受信部ＩＲ８、リモコン受信部ＩＲ９の各々の、リモコン信号の受信範囲、信号受信範囲ＩＲ１、信号受信範囲ＩＲ２、信号受信範囲ＩＲ３、信号受信範囲ＩＲ４、信号受信範囲ＩＲ５、信号受信範囲ＩＲ６、信号受信範囲ＩＲ７、信号受信範囲ＩＲ８、信号受信範囲ＩＲ９、を示したものである。
【００２２】
リモコン信号の受信範囲について、リモコン受信部ＩＲ１と、信号受信範囲ＩＲ１を例にとって説明する。信号受信範囲ＩＲ１で示される円は、リモコン受信部ＩＲ１の位置から表示装置Ｄ１の表示画面正面の方向に一定の距離だけ離れた、表示装置Ｄ１の表示画面と平行な面内に描かれている。リモコン受信部ＩＲ１のリモコン信号の受信範囲は、リモコン受信部ＩＲ１からみた、信号受信範囲ＩＲ１で示される円で表される立体角の範囲である。
【００２３】
表示システムＳ１のリモコン信号の受信範囲は、信号受信範囲ＩＲ１、信号受信範囲ＩＲ２、信号受信範囲ＩＲ３、信号受信範囲ＩＲ４、信号受信範囲ＩＲ５、信号受信範囲ＩＲ６、信号受信範囲ＩＲ７、信号受信範囲ＩＲ８、信号受信範囲ＩＲ９で表される受信範囲を加え合わせた範囲である。
リモコン受信部の受信範囲についての性能が同じであるならば、リモコン受信部を１つ別途設置する場合に比べ、リモコン信号の受信範囲は広くなる。
【００２４】
図３は、本実施形態に係る表示システムのリモコン信号の受信範囲を表す概念図である。
図３は、図１で示される表示システムＳ１において、リモコン受信部ＩＲ５の動作を無効にした場合のリモコン信号の受信範囲を示したものである。
本実施形態において、表示装置の台数が多い大規模のマルチモニタシステムを考える場合、有効に動作するリモコン受信部の数を減らし、通信路経由の処理の負荷を軽減することが考えられる。
表示システムＳ１において、例えば、リモコン受信部ＩＲ５の動作を無効にした場合、表示システムＳ１のリモコン信号の受信範囲は、信号受信範囲ＩＲ１、信号受信範囲ＩＲ２、信号受信範囲ＩＲ３、信号受信範囲ＩＲ４、信号受信範囲ＩＲ６、信号受信範囲ＩＲ７、信号受信範囲ＩＲ８、信号受信範囲ＩＲ９で表される受信範囲を加え合わせた範囲である。
図３で示される表示システムＳ１のリモコン信号の受信範囲は、図２で示される表示システムＳ１のリモコン信号の受信範囲と変わらない。
動作を無効にしたリモコン受信部ＩＲ５は、赤外線信号を受信した場合でも、処理を行わない。従って、表示システムＳ１は、モコン受信部ＩＲ５の動作を停止することで、リモコン信号の受信範囲は保ちつつ、通信路経由の処理の負荷を軽減することができる。
【００２５】
図３で示される例においては、リモコン受信部ＩＲ５の動作を無効にした場合について説明したが、動作を無効にするリモコン受信部を選ぶ方法はこれに限らない。例えば、表示システムＳ１のマルチモニタシステムの配列における４隅に位置する、表示装置Ｄ１、表示装置Ｄ３、表示装置Ｄ７、表示装置Ｄ９、及び、中央に位置する表示装置Ｄ５の５台のリモコン受信部、すなわち、リモコン受信部ＩＲ１、リモコン受信部ＩＲ３、リモコン受信部ＩＲ５、リモコン受信部ＩＲ７、リモコン受信部ＩＲ９のみを有効にする方法が考えられる。
【００２６】
図４は、本実施形態に係る表示装置の構成を示す概略ブロック図である。
複数の表示装置Ｄは各々、リモコン受信部１１、モニタ間通信部１２、制御部１３、記憶部１４、ネットワーク通信部１５、表示部１６、音声出力部１７を含んで構成される。
【００２７】
リモコン受信部１１は、リモコン装置Ｒ１から送信される赤外線信号を受信する。ここで、受信した赤外線信号には、表示システムＳ１を操作するため操作内容の情報（キーコード）が含まれる。リモコン受信部は、受信した赤外線信号に含まれるキーコードを制御部１３に渡す。
リモコン受信部１１は、動作に関する有効無効の設定が可能である。有効の設定がされている場合、上記の処理を行う。一方、無効の設定がされている場合、リモコン受信部１１は、赤外線信号を受信しても処理を行わない。
【００２８】
モニタ間通信部１２は、通信用インターフェイスを備え、表示装置Ｄ１、及び表示装置Ｄ３と通信を行う。
モニタ間通信部１２は、制御部１３からキーコードを受け取り、表示装置Ｄ１、及び表示装置Ｄ３に送信する。
モニタ間通信部１２は、表示装置Ｄ１からキーコードを受け取り、制御部１３へ渡す。その後、表示装置Ｄ２と表示装置Ｄ３が接続されている場合、モニタ間通信部１２は、表示装置Ｄ１から受け取ったキーコードを表示装置Ｄ３へ渡す。一方、表示装置Ｄ２と表示装置Ｄ３が接続されていない場合、モニタ間通信部１２は処理を行わない。
モニタ間通信部１２は、表示装置Ｄ３からキーコードを受け取り、制御部１３へ渡す。
その後、表示装置Ｄ２と表示装置Ｄ１が接続されている場合、モニタ間通信部１２は、表示装置Ｄ３から受け取ったキーコードを表示装置Ｄ１へ渡す。一方、表示装置Ｄ２と表示装置Ｄ１が接続されていない場合、モニタ間通信部１２は処理を行わない。
【００２９】
制御部１３は、履歴検索部１３１、実行判断部１３２、キー処理部１３３、履歴記録部１３４、時間管理部１３５を含んで構成される。
制御部１３は、リモコン受信部１１からキーコードを受け取る。制御部１３は、受け取ったキーコードを、記憶部１４の操作履歴テーブルに記憶した後、キーコードの処理内容を実行する。
制御部１３は、モニタ間通信部１２からキーコードを受け取る。制御部１３は、記憶部１４に記憶される操作履歴テーブルを参照し、受け取ったキーコードが一定時間内に処理されたか否か判定する。制御部１３は、受け取ったキーコードが一定時間内に処理されてない場合、リモコン受信部１１から受け取るキーコードと同様の処理を行う。
【００３０】
履歴検索部１３１は、一定時間内に処理されたキーコードの履歴を検索する。
履歴検索部１３１は、モニタ間通信部１２からキーコードを受け取る。履歴検索部１３１は、記憶部１４に記憶される操作履歴テーブル１４１の中に、受け取ったキーコードがあるか検索し、履歴情報を生成する。履歴検索部１３１は、操作履歴テーブル１４１の中に、受け取ったキーコードがある場合、履歴情報の値として１を設定する。一方、操作履歴テーブル１４１の中に、受け取ったキーコードがない場合、履歴検索部１３１は、履歴情報の値として０を設定する。履歴検索部１３１は、キーコード、及び、生成した履歴情報を実行判断部１３２に渡す。
【００３１】
実行判断部１３２は、履歴検索部１３１からキーコード、及び、履歴情報を受け取り、キーコードで示される処理を行うか判断する。
実行判断部１３２は、履歴検索部１３１から受け取った履歴情報の値が０の場合、履歴検索部１３１から受け取ったキーコードを、キー処理部１３３に渡す。一方、履歴検索部１３１から受け取った履歴情報の値が１の場合、実行判断部１３２は、処理を行わない。
【００３２】
キー処理部１３３は、リモコン受信部１１または実行判断部１３２から受け取ったキーコードに従って処理を実行する。
キー処理部１３３は、受け取ったキーコードを、履歴記録部１３４に渡す。その後、キー処理部１３３は、受け取ったキーコードに従って処理を実行する。
キー処理部１３３は、記憶部１４に記憶される設定情報テーブル１４２から、画像についての設定を読み込む。キー処理部１３３は、ネットワーク通信部１５から、画像信号を受け取る。キー処理部１３３は、読み込んだ設定応じて、受け取った画像信号を加工し、表示部１６に渡す。また、キー処理部１３３は、ネットワーク通信部１５から音声信号を受け取る。キー処理部１３３は、受け取った音声信号を音声出力部１７に渡す。
キー処理部１３３は、受け取ったキーコードの操作内容が、例えば、チャネルの選択に関するものであった場合、ネットワーク通信部１５に受信するチャネルの情報を渡す。
キー処理部１３３は、受け取ったキーコードの操作内容が、例えば、表示部１６に表示させる画像の明るさの調整に関するものであった場合、表示部１６に画像の明るさについての情報を渡す。
キー処理部１３３は、受け取ったキーコードの操作内容が、例えば、音声出力部１７に出力する音量調整に関するものであった場合、音声出力部１７に音量調整についての情報を渡す。
【００３３】
履歴記録部１３４は、キーコードを記憶部１４に記憶される操作履歴テーブル１４１に記録する。
履歴記録部１３４は、キー処理部１３３からキーコードを受け取る。履歴記録部１３４は、操作履歴テーブル１４１に、操作履歴として、現在時刻（例えば、現在時刻を１００分の１秒まで表示したときの時刻の、秒、１０分の１秒、１００分の１秒の値）と、キーコードによって示されるキーを記憶させる。
【００３４】
時間管理部１３５は、現在時刻を計時するリアルタイムクロックであり、記憶部１４の操作履歴テーブル１４１のキーの中から、操作履歴が一定の時間が経過したものを削除する。
時間管理部１３５は、操作履歴テーブル１４１から操作履歴を読み込む。時間管理部１３５は、読み込んだ操作履歴の中から、一定の時間（例えば、０．３秒）が経過したものを削除する。
【００３５】
記憶部１４は、操作履歴テーブル１４１と設定情報テーブル１４２をもつ。
記憶部１４は、操作履歴として、あるキーが実行された時刻とキーの情報を操作履歴テーブル１４１に記憶する。操作履歴テーブル１４１の具体例については後述する。
記憶部１４は、マルチモニタシステムにおける画像についての設定を設定情報テーブル１４２に記憶する。ここで、マルチモニタシステムにおける画像についての設定とは、１つの画像を分割して得られる部分画像のうち、どれをどのズーム率で表示部１６に表示させるかについての設定のことである。
【００３６】
ネットワーク通信部１５は、通信用インターフェイスを備え、ネットワークＬＡＮ１０００と通信を行う。
ネットワーク通信部１５は、ネットワークＬＡＮ１０００と通信を行い、表示部１６に表示するための画像の情報や、音声出力部１７に出力する音声の情報を、無線通信により受信する。
ネットワーク通信部１５は、無線信号についての情報を、制御部１３から受け取る。ネットワーク通信部１５は、受け取った無線信号についての情報に基づき、受信する信号を選択する。無線信号についての情報とは、例えば、チャネルの選択についての情報が考えられる。
【００３７】
表示部１６は、制御部１３から画像情報を読み込み、画像を出力する。表示部１８は、例えば、液晶ディスプレイや有機ＥＬ（Ｅｌｅｃｔｒｏ−Ｌｕｍｉｎｅｓｃｅｎｃｅ）ディスプレイなどの表示装置を備える。
音声出力部１７は、制御部１３から音声情報を読み込み、音声を出力する。音声出力部１７は、スピーカーを含んで構成される。
【００３８】
図５は、本実施形態に係る制御処理の一例を示すフローチャートである。
本フローチャートに示す処理は、複数の表示装置Ｄが、表示システムＳ１を構成し、直列に接続された際に開始される。
【００３９】
（ステップＳ１０１）時間管理部１３５は、記憶部１４の操作履歴テーブル１４１のキーの中から、操作履歴が一定の時間が経過したものを削除し、ステップＳ１０２へ処理を進める。
【００４０】
（ステップＳ１０２）制御部１３は、リモコン受信部１１からキーコードを受け取った場合（ＹＥＳ）、ステップＳ１０３へ処理を進める。一方、リモコン受信部１１からキーコードを受け取らなかった場合（ＮＯ）、制御部１３は、ステップＳ１０４へ処理を進める。
【００４１】
（ステップＳ１０３）制御部１３は、キー処理を行い、ステップＳ１０４へ処理を進める。キー処理の内容の詳細は、図６で説明する。
【００４２】
（ステップＳ１０４）制御部１３は、モニタ間通信部１２からキーコードを受け取った場合（ＹＥＳ）、ステップ１０５へ処理を進める。一方、モニタ間通信部１２からキーコードを受け取らなかった場合（ＮＯ）、制御部１３は、ステップＳ１０１へ処理を進める。
【００４３】
（ステップＳ１０５）履歴検索部１３１は、一定時間内に処理されたキーコードの履歴を検索する。履歴検索部１３１は、モニタ間通信部１２からキーコードを受け取る。履歴検索部１３１は、記憶部１４に記憶される操作履歴テーブル１４１の中に、受け取ったキーコードがあるか検索し、履歴情報を生成する。履歴検索部１３１は、操作履歴テーブル１４１の中に、受け取ったキーコードがある場合（ＹＥＳ）、履歴情報の値として１を設定する。一方、操作履歴テーブル１４１の中に、受け取ったキーコードがない場合（ＮＯ）、履歴検索部１３１は、履歴情報の値として０を設定する。履歴検索部１３１は、キーコード、及び、生成した履歴情報を実行判断部１３２に渡す。
実行判断部１３２は、履歴検索部１３１からキーコード、及び、履歴情報を受け取り、キーコードで示される処理を行うか判断する。
実行判断部１３２は、履歴検索部１３１から受け取った履歴情報の値が１の場合、処理をステップＳ１０６へ進める。一方、履歴検索部１３１から受け取った履歴情報の値が０の場合、実行判断部１３２は、処理をステップＳ１０７へ進める。
【００４４】
（ステップＳ１０６）実行判断部１３２は、処理を行わない。すなわち、モニタ間通信部１２から受け取ったキーコードで示されるキーを無視する。その後、実行判断部１３２は、処理をＳ１０１へと進める。
【００４５】
（ステップＳ１０７）実行判断部１３２は、履歴検索部１３１から受け取ったキーコードを、キー処理部１３３に渡す。キー処理部１３３はキー処理を行い、ステップＳ１０１へと処理を進める。キー処理の内容の詳細は、図６で説明する。
図６は、本実施形態に係るキー処理の一例を示すフローチャートである。
本フローチャートに示す処理は、制御部１３がリモコン受信部１１からキーコードを受け取った際、または、キー処理部１３３が実行判断部１３２からキーコードを受け取った際に開始される。
【００４６】
（ステップＳ１０３１）履歴記録部１３４は、キーコードを記憶部１４に記憶される操作履歴テーブル１４１に記録し、処理をステップＳ１０３２へ進める。
【００４７】
（ステップＳ１０３２）キー処理部１３３は、キーコードで示されるキーに従って、制御処理を実行する。以上で、キー処理部１３３は、ステップＳ１０３２の処理を終了する。
【００４８】
図７は、本実施形態に係る操作履歴テーブル１４１の一例を示す図である。
（ａ）で図示するように操作履歴テーブル１４１は、処理時刻、キーの各項目の列を有している。操作履歴テーブル１４１は、処理時刻とキーが格納される２次元の表形式のデータである。
２行目の操作履歴では、時刻「０３：０１」に、ネットワーク通信部１５の受信するチャネルとしてチャネル２を選択するキーコードを受信したことを示す操作履歴が記憶される。
３行目の操作履歴では、時刻「０３：０６」に音声出力部１７の出力する音量を上げるキーコードを受信したことを示す操作履歴が記憶される。
４行目の操作履歴では、時刻「０３：１５」に音声出力部１７の出力する音量を上げるキーコードを受信したことを示す操作履歴が記憶される。
５行目の操作履歴では、時刻「０３：２７」に表示部1６の表示する画像を明るくするキーコードを受信したことを示す操作履歴が記憶される。
【００４９】
（ｂ）における例では、操作履歴テーブル１４１に、（ａ）で示される操作履歴テーブルの状態から一定の時間（例えば、現在時刻が「０３：３２」となるような時間）が経過した後の操作履歴テーブル１４１が示されている。（ａ）の操作履歴テーブル１４１の2行目にあった操作履歴は、キーが処理されてから０．３秒が経過したため、時間管理部１３５によって削除された。
【００５０】
以上に説明したように、本実施形態に係る表示システムＳ１は、複数の表示装置Ｄを含んで構成される。複数の表示装置Ｄは、通信部（この一例において、モニタ間通信部１２）、操作信号受信部（この一例において、リモコン受信部１１）、制御部（この一例において、制御部１３）、操作履歴記憶部（この一例において、記憶部１４）を備える。
モニタ間通信部１２は、自装置以外の複数の表示装置Ｄと通信することを特徴とする。リモコン受信部１１は、リモートコントローラから無線信号を受信することを特徴とする。複数の表示装置Ｄは、操作信号受信部によって受信される操作信号によって指示される操作内容を、通信部を用いて自装置以外の複数の表示装置Ｄに送信することを特徴とする。
制御部１３は、複数の表示装置Ｄから、モニタ間通信部１２により受信した操作内容を実行することを特徴とする。
記憶部１４は、制御部１３によって実行される操作内容を操作履歴として記憶することを特徴とする。
制御部１３は、記憶部１４に記憶される操作履歴を参照し、モニタ間通信部１２により受信した操作内容を実行するか否か判定し、判定結果に基づき操作内容を実行する。
記憶部１４は、一定の時間が経過すると、自身に記憶した操作履歴を消去することを特徴とする。
この構成により、本実施形態に係る表示システムＳ１は、マルチモニタシステム全体の中に複数個所のIR受光部が配置されていることで、マルチモニタシステムは一定の方向からしかリモコン信号を受信できないという問題を回避してリモコンの操作性を向上できる。
【００５１】
（第２の実施形態）
以下、図面を参照しながら本発明の第２の実施形態について詳しく説明する。
上記第１の実施形態では、複数の表示装置が行列状に配置されて構成される表示システムであって、複数の表示装置は、表示装置が操作信号受信部から操作信号を受け取り、通信部を用いて、操作信号に含まれるキーコードを他の表示装置に送り、直前の一定時間内に、自装置のリモコン受信部により受信したキーコードとして処理していないときのみ、処理を行う場合について説明をした。本実施形態では、複数の表示装置が行列状に配置されて構成される表示システムであって、複数の表示装置は、表示装置が操作信号受信部から操作信号を受け取り、通信部を用いて、操作信号に含まれるキーコードを他の表示装置に送る場合について説明をする。
【００５２】
図８は、本発明の第２の実施形態に係る表示装置の構成を示す概略ブロック図である。
本実施形態に係る表示装置Ｄ２、表示装置Ｄ３は、操作信号受信部２１、通信部２２を含んで構成される。本実施形態に係る表示装置Ｄ２、表示装置Ｄ３は各々複数あってもよい。複数の表示装置Ｄ２、表示装置Ｄ３のうち少なくとも第１表示装置と第２表示装置は、操作信号受信部２１を備える。
【００５３】
操作信号受信部２１は、リモートコントローラから無線信号を受信する。操作信号受信部２１は、受信した無線信号を通信部２２へ伝える。
通信部２２は、表示装置Ｄ２が自装置以外の表示装置Ｄ３と通信する。通信部２２は、
操作信号受信部２１によって受信される操作信号を受け取る。通信部２２は、受け取った操作信号によって指示される操作内容を、表示装置Ｄ３に送信する。
【００５４】
以上に説明したように、本実施形態に係る表示システムＳ１は、複数の表示装置Ｄ２、表示装置Ｄ３が行列状に配置されて構成される表示システムであって、表示装置Ｄ２、表示装置Ｄ３は、自装置以外の表示装置Ｄ２、表示装置Ｄ３と通信する通信部（この一例においては、通信部２２）を備え、複数の表示装置Ｄ２、表示装置Ｄ３のうち少なくとも第１表示装置と第２表示装置は、リモートコントローラから無線信号を受信する操作信号受信部（この一例においては、操作信号受信部２１）を備え、操作信号受信部によって受信される操作信号によって指示される操作内容を、通信部を用いて第１表示装置と第２表示装置以外の表示装置Ｄ２、表示装置Ｄ３に送信することを特徴とする。
この構成により、本実施形態に係る表示システムＳ１は、マルチモニタシステム全体の中に複数個所のIR受光部が配置されていることで、マルチモニタシステムは一定の方向からしかリモコン信号を受信できないという問題を回避してリモコンの操作性を向上できる。
【００５５】
なお、上述した実施形態における表示装置Ｄの一部、例えば、制御部１３、及び記憶部１４をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、表示装置Ｄに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における表示装置Ｄの一部、または全部を、ＬＳＩ（Ｌａｒｇｅ  Ｓｃａｌｅ  Ｉｎｔｅｇｒａｔｉｏｎ）等の集積回路として実現しても良い。表示装置の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００５６】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００５７】
Ｓ１…表示システム、Ｄ１…表示装置、Ｄ２…表示装置、Ｄ３…表示装置、Ｄ４…表示装置、Ｄ５…表示装置、Ｄ６…表示装置、Ｄ７…表示装置、Ｄ８…表示装置、Ｄ９…表示装置、ＩＲ１…リモコン受信部、ＩＲ２…リモコン受信部、ＩＲ３…リモコン受信部、ＩＲ４…リモコン受信部、ＩＲ５…リモコン受信部、ＩＲ６…リモコン受信部、ＩＲ７…リモコン受信部、ＩＲ８…リモコン受信部、ＩＲ９…リモコン受信部、１０００…無線ネットワーク、Ｒ１…リモコン装置、ＩＲ１…信号受信範囲、ＩＲ２…信号受信範囲、ＩＲ３…信号受信範囲、ＩＲ４…信号受信範囲、ＩＲ５…信号受信範囲、ＩＲ６…信号受信範囲、ＩＲ７…信号受信範囲、ＩＲ８…信号受信範囲、ＩＲ９…信号受信範囲、１１…リモコン通信部、１２…モニタ間通信部、１３…制御部、１３１…履歴検索部、１３２…実行判断部、１３３…キー処理部、１３４…履歴記録部、１３５…時間管理部、１４…記憶部、１４１…操作履歴テーブル、１４２…設定情報テーブル、１５…ネットワーク通信部、１６…表示部、１７…音声出力部、２１…操作信号受信部、２２…通信部
【図１】
0006773290.tif 000002
【図２】
0006773290.tif 000003
【図３】
0006773290.tif 000004
【図４】
0006773290.tif 000005
【図５】
0006773290.tif 000006
【図６】
0006773290.tif 000007
【図７】
0006773290.tif 000008
【図８】
0006773290.tif 000009